(57)【要約】      （修正有）【課題】不正行為によるメダルの払い出しを確実に防止する。【解決手段】ロータリディスク３３を回転することで、受入部３５に受け入れたメダルを投出通路３８からホッパー出口２４に１枚ずつ払い出す。投出通路３８にはメダルの通過を検知する検出部３９が設けられ、検出部３９とホッパー出口２４との間にはシャッタ部材４０が配されている。シャッタ部材４０は、ロータリディスク３３の外周に設けたカム溝５６に係合する従動ピン５５を持っている。カム溝５６は、ロータリディスク３３がホッパー出口２４にメダルを投出する位置に回転してきたときに、シャッタ部材４０が投出通路３８から退避する開放位置に従動ピン５５を移動させ、また、ロータリディスク３３がホッパー出口２４にメダルを投出する位置以外の位置に回転してきたときにはシャッタ部材４０を投出通路３８に挿入する閉じ位置に従動ピン５５を移動させる。【選択図】図７
2006195528.tif 000002
【特許請求の範囲】
【請求項１】
貯留部に収容されているメダルを一定の姿勢で受け入れる複数の受入部を備えたロータリディスクを、モータの駆動により回転させることで、前記各受入部に受け入れたメダルを、メダル検出器を設けた通路を通して該装置の外部に露呈したホッパー出口に１枚ずつ投出するホッパー装置において、
前記ホッパー出口を開閉するシャッタ部材と、
前記ロータリディスクが前記ホッパー出口にメダルを投出する位置に回転してきたときのみ前記シャッタ部材が前記ホッパー出口を開放するように、前記モータの駆動又はロータリディスクの回転に連動して前記シャッタ部材を開閉する連動機構と、を備えたことを特徴とするホッパー装置。
【請求項２】
前記連動機構は、
回転自在に設けた前記シャッタ部材の回転軸を挟んだ一端部に設けた従動ピンと、前記ロータリディスクの外面に無端状に設けられ、前記従動ピンが係合するカム溝とで構成され、
前記カム溝は、
前記ロータリディスクが前記ホッパー出口にメダルを投出する位置に回転してきたときに、前記シャッタ部材の回転軸を挟んだ他端部に設けた開閉部が前記通路のうちの前記ホッパー出口と前記メダル検出器との間の出口側通路から退避する開放位置に前記従動ピンを移動させる第１リターン部と、前記ロータリディスクが前記ホッパー出口にメダルを投出する位置以外の位置に回転してきたときには前記開閉部を前記出口側通路に挿入する閉じ位置に前記従動ピンを移動させる第２リターン部とを交互に繋げて波状に形成されていることを特徴とする請求項１記載のホッパー装置。
【発明の詳細な説明】
【技術分野】
【０００１】
本発明は、メダル（コイン）を１枚ずつ払い出すホッパー装置に関するものである。
【背景技術】
【０００２】
パチンコ店などの遊技場に設置して使用されるスロットマシンには、遊技を行って入賞を得たときに対価分に応じた枚数のメダルを払い出し口に払い出すためのホッパー装置が設けられている。
【０００３】
ホッパー装置は、ロータリディスク、ディスク通路、及び、カウント検出部などを備えている。ロータリディスクは、モータの駆動に回転することで、貯留箱に貯留されたメダルを投出口に１個ずつ投出する。投出通路は、投出口に投出されたメダルをホッパー装置の外部に露呈して設けた出口に案内する。カウント検出部は、カウントアームと、光電センサとで構成されている。カウントアームは、投出通路に配置されており、出口に案内されるメダル１枚ごとに一往復揺動する。光電センサは、その揺動を検出し、スロットマシンを制御する制御部に１パルスの検出信号を出力する。制御部は、その検出信号をカウントし、カウント値がメダルの投出枚数と一致した場合にホッパー装置のモータの駆動を停止する制御を行う。これにより、対価分に応じた枚数のメダルは、ホッパー装置の出口を通ってスロットマシンの払い出し口に払い出される。
【０００４】
近年、スロットマシンの払い出し口から針金等の異物を挿入して、ホッパー装置のカウントアームを、光電センサがＯＮする位置に移動させて不正にメダルを払い出させるという行為が行われることがあった。このような不正行為に対し、ホッパー装置からメダルを払い出すときだけ開口するシャッタを、ホッパー装置の出口に設けることによって、不正行為を防止するようにしたホッパー装置が提案されている（特許文献１、特許文献２）。
【０００５】
上記特許文献に記載のシャッタ付きのホッパー装置は、ソレノイドの駆動によりシャッタ部材を閉鎖位置から開放位置に移動するように構成し、モータが駆動中にソレノイドを駆動し、ロータリディスクが回転中にシャッタ部材が開放位置に維持するように連動させている。
【特許文献１】特開２００２−３６６９９９号公報
【特許文献２】特開２００４−２８０７１６号公報
【発明の開示】
【発明が解決しようとする課題】
【０００６】
しかしながら、前述したシャッタ付きホッパー装置は、ロータリディスク回転用のモータと、シャッタ駆動用のソレノイドとの２つの駆動源が必要になるばかりか、ソレノイドとロータリディスク回転用のモータとの駆動を電気的に同期させるための制御回路も必要となるため、コストアップになる。
【０００７】
また、前述したシャッタ付きホッパー装置では、モータが駆動中、すなわちロータリディスクが回転中に、ずっとシャッタ部材が開放されたままの状態になる。このため、そのシャッタ開放期間中に、払い出し口から針金等の異物が挿入されるおそれがある。特に、払い出しメダルの枚数が少ないときにはシャッタ部材の開放時間が短いので挿入され難いのに対し、払い出しメダルの枚数が多い場合にはシャッタ部材の開放時間が長くなるため、その長期開放期間中に挿入され易くなる。
【０００８】
本発明は、上記問題点を考慮してなされたもので、ロータリディスクのメダル投出とシャッタの開放とのタイミングをローコストで同期させることができるとともに、払い出しメダルの枚数に係わらず、シャッタの開放時間を短くして、不正行為をさらに行い難くすることができるホッパー装置を提供することを目的とする。
【課題を解決するための手段】
【０００９】
上記目的を達成するために、本発明のホッパー装置では、ホッパー出口を開閉するシャッタ部材と、モータの駆動により回転するロータリディスクがホッパー出口にメダルを投出する位置に回転してきたときのみ前記シャッタ部材がホッパー出口を開放するように、前記モータの駆動又はロータリディスクの回転に連動して前記シャッタ部材を開閉する連動機構と、を備えたものである。
【００１０】
ロータリディスクは、メダルを一定の姿勢で受け入れる複数の受入部を上面に設け、回転することで各受入部に受け入れたメダルをホッパー出口に１枚ずつ投出する。このようなロータリディスクとしては、外周に受入部と同じ数だけ出口を設け、各受入部と各出口とを一対一となるように繋げ、受入部に受け入れたメダルをロータリディスクの内部を通って出口から回転軸を中心とする放射方向に投出するタイプや、ロータリディスクの下面まで貫通する開口を各受入部とし、また、下面に複数の送り爪を設け、ロータリディスクを回転することで受入部から下面に導かれるメダルを送り爪によりロータリディスクの下面から外周方向に向けて送り出すタイプなどを用いることができる。
【００１１】
連動機構としては、ロータリディスクがホッパー出口にメダルを投出する位置に回転してきたときにシャッタ部材がホッパー出口を開放し、かつロータリディスクがホッパー出口にメダルを投出する位置以外の位置に回転してきたときにはシャッタ部材がホッパー出口を閉鎖するタイミングの往復運動に、モータから得られる回転又はロータリディスクから伝達される回転を変換して、その往復運動をシャッタ部材に伝達する駆動変換部を用いるのが望ましい。
【００１２】
このような駆動変換部としては、カム機構やリンク機構を用いることができる。カム機構を用いる場合には、回転自在に設けたシャッタ部材の回転軸を挟んだ一端部に設けた従動ピンと、ロータリディスクの外面に無端状に設けられ、前記従動ピンが係合するカム溝とで構成し、ロータリディスクがホッパー出口にメダルを投出する位置に回転してきたときに、シャッタ部材の回転軸を挟んだ他端部に設けた開閉部が該装置の外部に露呈したホッパー出口とその奥に配したメダルカウント用のメダル検出器との間の通路から退避する開放位置に従動ピンを移動させる第１リターン部と、ロータリディスクがホッパー出口にメダルを投出する位置以外の位置に回転してきたときには開閉部を前記通路に挿入する閉じ位置に従動ピンを移動させる第２リターン部とを交互に繋げて前記カム溝を波状に形成する。
【００１３】
なお、カム溝を設ける回転体としては、ロータリディスク以外に、ロータリディスクとは別の回転体の外周面に設けてもよい。この場合には、回転体にモータの駆動又はロータリディスクからの回転を伝達するように構成すればよい。
【００１４】
また、駆動変換部としてリンク機構を用いる場合には、例えばピストン・クランク機構や往復スベリ子回転機構などの回転運動を往復運動に変換する周知の機構であればいずれも採用することができる。さらに、本発明のホッパー装置には、遊技機で使用するメダル以外に、通貨であるコインや、トークンなどの代用貨幣又はそれらに類似のものも使用することができる。
【発明の効果】
【００１５】
本発明のホッパー装置では、ロータリディスクがメダルをホッパー出口に投出する位置に回転してきたときのみシャッタ部材がホッパー出口を開放するように、モータの駆動又はロータリディスクの回転に連動してシャッタ部材を開閉する連動機構を備えているから、単一のモータのみで構成することができる。このため、従来技術で説明したものと比較してローコストで作ることができる。
【００１６】
また、ロータリディスクの回転中でも、ロータリディスクがメダルをホッパー出口に投出する位置に回転してきたときのみシャッタ部材がホッパー出口を開放するため、払い出しメダルの枚数に係わらず、シャッタの開放時間を短くすることができ、よって、従来技術で説明した不正行為をさらに行い難くすることができる。
【００１７】
また、請求項２に記載の発明によれば、モータの駆動により回転するロータリディスクと、シャッタ部材の開閉とをカム機構により直結しているため、不正行為が行われても、払い出し口から挿入される異物をシャッタ部材の開閉部と通路との間で挟み込むことができ、よって、シャッタ部材の開閉が阻止されるのと同時にロータリディスクの回転が停止するから、不正行為によるメダルの払い出しを未然に防止することができる。
【００１８】
さらに、請求項２に記載の発明によれば、モータの駆動中又はロータリディスクの回転中でも、メダルをホッパー出口に投出する位置以外の位置にロータリディスクが回転してきたときには、シャッタ部材がホッパー出口を閉鎖するため、従来技術で説明した不正行為をさらに行い難くすることができる。
【発明を実施するための最良の形態】
【００１９】
本発明のホッパー装置を用いた遊技機の一実施例であるスロットマシン（回胴式遊技機）１０は、図１に示すように、前面に表示窓１１が設けられており、表示窓１１の奥には、リールユニットの一部を構成する第１〜第３リール１２〜１４の一部が露呈している。
【００２０】
周知のように、第１〜第３リール１２〜１４の外周には、複数種類の当選絵柄を含む絵柄が一定ピッチで配列され、１リールにつき３個の絵柄は、表示窓１１を通して観察することができる。
【００２１】
表示窓１１の下には、メダルを投入するためのメダル投入口１５、スタートレバー１６、リールの動作を停止させるための第１〜第３ストップボタン１７〜１９、メダル受け皿２０、及び、獲得したメダルを前記メダル受け皿２０に払い出す払い出し口２１などが設けられている。
【００２２】
メダル投入口１５に所定枚数のメダルを投入してスタートレバー１６を操作すると、第１〜第３リール１２〜１４が一斉に回転する。その後、第１〜第３ストップボタン１７〜１９を順番に操作することで第１〜第３リール１２〜１４の回転が停止する。このとき、各リール毎に表示された絵柄を一個ずつ組み合わせてなる、例えば横３本斜め２本の合計５本の入賞有効ラインのうちのいずれかに、予め決められた絵柄が揃うことで、その入賞の対価に応じた枚数のメダルが払い出し口２１から払い出される。
【００２３】
図２に示すように、スロットマシン１０の内部下方には、ホッパー装置２２が設けられる。ホッパー装置２２には、前面下部に、メダル２３を払い出すためのホッパー出口２４が露呈して設けられている。そのホッパー出口２４と払い出し口２１との間には案内通路２５が設けられており、ホッパー装置２２から払い出されるメダル２３はホッパー出口２４から案内通路２５を通って払い出し口２１に案内される。
【００２４】
図３に示すように、ホッパー装置２２は、貯留部２７と、メダル投出機構２８とから構成されている。貯留部２７は、多数のメダルを貯留するものであり、上方のメダル溜め部２９から下方の供給口３０に向けてメダルを供給する。メダル投出機構２８は傾斜板３１を備えており、傾斜板３１の上面には輪郭円形の凹部３２にロータリディスク３３が回転自在に支持されている。
【００２５】
図４に示すように、ロータリディスク３３は、傾斜板３１に対して垂直な軸３４を中心として回転する。このロータリディスク３３には、前記供給口３０に対峙する面３３ａの同一半径上に、円形凹状をした複数の受入部３５が一定ピッチで並設されている。各受入部３５は、供給口３０から供給されるメダルを一定の姿勢で１個ずつ受け入れる。
【００２６】
また、ロータリディスク３３の外周には、図５及び図６に示すように、受入部３５に受け入れたメダルを投出するための出口３６が、受入部３５と同じ数だけ、周方向に向けて一定ピッチで設けられている。各出口３６は、ロータリディスク３３の内部で各受入部３５に個別に繋がっており、受入部３５に受け入れたメダル２３をロータリディスク３３の径方向に投出する。
【００２７】
凹部３２には、ロータリディスク３３の外周に対峙する壁に、投出口３７が設けられている。投出口３７には、ホッパー出口２４との間でメダル２３を流下させるために傾斜した投出通路３８が繋がっている。投出通路３８は、貯留部２７の下面との間で断面横長矩形のトンネル状に形成されており、内部にはメダル２３の流下方向から順にメダル検出部３９と、シャッタ部材４０とがそれぞれ配されている。
【００２８】
ロータリディスク３３は、ギヤ列４１を介してモータ４２の駆動が伝達されることで一方向に向けて回転し、回転中に、各出口３６が投出口３７に対面する位置に回転するごとに、対面する出口３６からメダル２３を１枚ずつ投出口３７に投出する。なお、ギヤ列４１を用いないでモータ４２の出力軸とロータリディスク３３の軸３４とを直結してもよい。
【００２９】
図７に示すように、メダル検出部３９は、カウントアーム４３と、透過型の光電センサ４４とで構成され、メダルの投出される数に応じてカウント信号を送出する。カウントアーム４３は、軸４５を挟んだ一方にカウント部４６を、また、他方に遮蔽板４７をそれぞれ設けたレバー形状になっており、軸４５を中心として当接位置と退避位置との間で回転し、バネ４８により当接位置に向けて付勢され、ストッパ４９により当接位置に保持されている。当接位置は、投出通路３８の側壁に設けた開口５９を通してカウント部４６を投出通路３８の内部に露呈して、投出通路３８を通過するメダルをカウント部４６に当接させる位置であり、また、退避位置は、メダルの当接によりそのメダルの流下方向に向けて回転してカウント部４６を開口５９から投出通路３８の外部に退避して、メダルの通過を許容する位置である。
【００３０】
これにより、カウントアーム４３は、投出通路３８を流下するメダルの枚数ごとに一往復動する。この往復動の間に、遮蔽板４７が光電センサ４４の受光部を遮り、光電センサ４４が１パルスのカウント信号を制御部５０に送る。この制御部５０は、スロットマシン１０を統括的に制御する。
【００３１】
制御部５０は、カウント信号をカウント回路５１でカウントし、カウント回路５１の値がその時点のメダルの投出枚数と一致した場合に、ドライバ５２を介してモータ４２の駆動を停止する制御を行う。
【００３２】
シャッタ部材４０は、回転軸５３を挟んだ一端部に開閉部５４を、また、他端部に従動ピン５５をそれぞれ設けたレバー形状になっており、回転軸５３を中心として回動自在に設けられている。従動ピン５５は、ロータリディスク３３の外周面に設けたカム溝５６に係合する。開閉部５４は、投出通路３８のうちのメダル検出部３９とホッパー出口２４との間の通路で、かつその通路の下壁に設けた開口６５から投出通路３８の内部に出入りしてホッパー出口２４を開閉する。
【００３３】
カム溝５６は、図８及び図９に示すように、一定ピッチで並んで設けた出口３６の列から、ロータリディスク３３の軸３４の方向にずれた位置に、その周方向に沿って無端状に形成されている。このカム溝５６は、シャッタ部材４０を開閉させるための変位を軸３４の方向にもっており、その変位の両端となる第１及び第２リターン部５７，５８をロータリディスク３３の回転方向に交互に配列し、これらを波状の一本線となるように繋げて形成されている。
【００３４】
第１リターン部５７は、ホッパー出口２４にメダルを投出する位置、すなわち出口３６が投出口３７に対面する位置にロータリディスク３３が回転してきたときに、開閉部５４が投出通路３８の下方に退避する開放位置に従動ピン５５を移動させる。第２リターン部５８は、ホッパー出口２４にメダルを投出する位置以外の位置、すなわち出口３６が投出口３７に対面しない位置にロータリディスク３３が回転してきたときに開閉部５４を、出通路３８に挿入する閉じ位置に従動ピン５５を移動させる。
【００３５】
なお、本実施形態では、複数の出口３６を一定ピッチで設けているため、第１及び第２リターン部５７，５８も出口３６と同じピッチで、かつロータリディスク３３の回転方向に半ピッチずらして配列されているが、これに限らず、例えば複数の出口３６が異なる間隔で設けられている場合には、この間隔に応じて第１及び第２リターン部５７，５８の間隔を変えればよい。
【００３６】
カム溝５６と出口３６との回転方向での位置関係は、出口３６が投出口３７にメダルを投出する位置にロータリディスク３３が回転してきたときに、シャッタ部材４０が投出通路３８を開放し、かつ出口３６が投出口３７にメダルを投出する位置以外の位置にロータリディスク３３が回転してきたときには、シャッタ部材４０が投出通路３８を閉鎖するタイミングとなるように、決められている。これにより、ロータリディスク３３が回転すると、カム溝５６の変位により従動ピン５５が回転軸方向に往復運動し、その往復運動によりシャッタ部材４０がメダルの投出に連動して開閉される。
【００３７】
次に、上記構成の作用を説明する。スロットマシン１０の制御部５０は、図１０に示すように、遊技の際に入賞を得たときに、ドライバ５２を介してモータ４２に駆動信号を出力し、時間ｔ１のときにモータ４２が駆動する。モータ４２が駆動すると、メダルが投出され、投出されるメダルがメダル検出部３９で検出される。メダル検出部３９は、カウント信号を制御部５０に送出し、制御部５０は、カウント信号のカウント数が払い出し枚数と一致した時間ｔ２のときに、モータの駆動を停止する信号をドライバ５２に出力する。これにより、ドライバ５２は、時間ｔ３のときにモータ４２の駆動を停止する。
【００３８】
モータ４２の駆動はギヤ列４１を介してロータリディスク３３に伝達され、ロータリディスク３３は一方向に回転する。ロータリディスク３３が回転すると、出口３６が投出口３７に対面する位置に回転するごとに、カム溝５６の第１リターン部５７に従動ピン５５が位置して、開閉部５４がホッパー出口２４を開放する。また、ロータリディスク３３の外周面のうちの出口３６との間の中間部が投出口３７に対面する位置にロータリディスク３３が回転するごとに、第２リターン部５８に従動ピン５５が位置して開閉部５４がホッパー出口２４を閉じる。そして、出口３６が投出口３７に対面してからロータリディスク３３の回転方向での次の出口３６が投出口３７に対面する間にロータリディスク３３が回転することで、開閉部５４が投出通路３８を開放する位置から閉じる位置に往動して再び開放する位置に復動する。
【００３９】
ホッパー装置２２の貯留部２７には、多数のメダルが貯留されており、ロータリディスク３３が回転することで、多数のメダルのうちの一部が供給口３０から各受入部３５に一定の姿勢で１枚ずつ入り込む。各受入部３５に入り込んだメダルは、ロータリディスク３３の回転中に出口３６が投出口３７に対面するごとに１枚ずつ投出口３７に投出される。なお、投出口３７に対面していない出口３６からは、凹部３２の壁でメダルの投出が阻止されている。
【００４０】
投出口３７に投出されたメダルは、投出通路３８を通ってホッパー出口２４に向けて流下する。この流下途中で、メダル検出部３９によりメダルの通過がカウントされる。メダルは、カウントアーム４３が退避位置に移動することでホッパー出口２４に流下し、ホッパー出口２４から案内通路２５を通って払い出し口２１からスロットマシンの外部に排出される。
【００４１】
メダル検出部３９は、メダルの通過を検知するごとにカウント信号を制御部５０に送る。制御部５０は、カウント信号をカウント回路５１でカウントし、カウント回路５１の値がその時点の払い出し枚数に一致した時点でドライバ５２に駆動停止信号を送り、モータ４２の駆動を停止する。
【００４２】
メダルを払い出し中、すなわちロータリディスク３３が回転中に、不正な行為が行われるおそれがある。この行為は、払い出し口２１から針金等の異物を挿入し、光電センサ４４がＯＮする退避位置にカウントアーム４３を移動させるという行為である。制御部５０は、タイマ回路６０を備えており、モータ４２を駆動してから一定時間経過後、及び、カウント信号を得た時点から一定時間経過後に、次のカウント信号が得られない場合には、貯留部２７にメダルが補給されていないと判断してモータ４２の駆動を停止するエラー制御を行う。しかし、不正行為によりカウントアーム４３が退避位置に維持された場合、制御部５０がエラーと判断するまでの一定時間中にロータリディスク３３が回転する。このため、この間に出口３６が投出口３７を通過する分だけメダルが払い出されてしまう。
【００４３】
しかし、本発明では、カウントアーム４３とホッパー出口２４との間の投出通路３８に開閉部５４が下方から出入りするため、払い出し口２１から針金を挿入してカウントアーム４３を退避位置に維持すると、異物が開閉部５４の上端と投出通路３８の上壁との間で挟み込まれる。これにより、開閉部５４が挟み込んだ位置から投出通路３８を閉じる位置に向けて移動しないため、シャッタ部材４０の開閉がロックされて従動ピン５５が移動しなくなる。このため、ロータリディスク３３の回転もロックされて、メダルの不正な払い出しを未然に防ぐことができる。
【００４４】
本実施形態では、従動ピン５５が係合するカム溝５６を採用しているが、本発明ではこのようなカム溝に限らず、第１及び第２リターン部５７，５８だけに従動ピン５５を案内する溝であれば、第１及び第２リターン部５７，５８との間で従動ピン５５に係合しない遊びを持った溝をもつ溝でも採用することができる。また、溝に限ることなく、例えば開口としてもよい。
【００４５】
また、上記実施形態では、ロータリディスク３３の外周面にカム溝５６を設けているが、外周に限らず、ロータリディスク３３の上面や下面の回転軸周りに無端状に設けてもよい。
【００４６】
さらに、上記実施形態では、カム溝５６をロータリディスク３３に設けているが、ロータリディスク３３とは別の回転体にカム溝を設けてもよい。図１１に示す例では、シャッタ部材７０が投出通路３８を横切るように上下方向に直線的に移動する。回転体６１は、ロータリディスク３３とは別の部材であり、回転体６１の外周面には原動用のカム溝６２が無端状に設けられている。その回転体６１にモータ４２の駆動又はロータリディスク３３からの回転を伝達し、カム溝６２に係合する従動ピン６３をもつ従動アーム６４を、回転体６１の回転により往復直線運動させて、従動アーム６４から得られる往復直線運動をシャッタ部材７０に伝達してシャッタ部材４０を開閉させている。
【００４７】
また、カム機構に限らず、リンク機構を用いてもよい。例えば図１２に示すように、ピストン・クランク機構を用いても良い。クランクロッド８０は、モータ４２の駆動又はロータリディスク３３の回転がギヤ列８１を介して伝達されることで一端に設けた軸８２を中心に回転する。ピストンロッド８３は、一端８４がクランクロッド８０の他端に連結され、他端８５がシャッタ部材７０に連結されており、クランクロッド８０の回転によりシャッタ部材４０に往復直線運動を伝達する。なお、ピストン・クランク機構以外でも、例えば往復スベリ子回転機構などの回転運動を往復運動に変換する周知の機構であればいずれも採用することができる。
【００４８】
さらに、上記実施形態では、ホーパー装置２２をスロットマシン１０に内蔵した例として説明しているが、スロットマシン１０に限らず、メダルやコインを１枚ずつ払い出す機能をもつ他の遊技機、自動販売機、及び、両替機などにも本発明のホッパー装置を採用することができる。
【図面の簡単な説明】
【００４９】
【図１】本発明を実施したスロットマシンの外観を示す斜視図である。
【図２】スロットマシンの内部に設けたホッパー装置を示す斜視図である。
【図３】ホッパー装置を構成する貯留部とメダル投出機構とを示す斜視図である。
【図４】メダル投出機構を示す斜視図である。
【図５】メダル投出機構に設けたロータリディスクの要部を示す平面図である。
【図６】ロータリディスクを示す断面図である。
【図７】ホッパー装置の要部を示す斜視図である。
【図８】ロータリディスクの外周面に設けたカム溝とシャッタ部材との位置関係を示す説明図であり、シャッタ部材が投出通路を閉じている状態を示している。
【図９】ロータリディスクの外周面に設けたカム溝とシャッタ部材との位置関係を示す説明図であり、シャッタ部材が投出通路を開放している状態を示している。
【図１０】モータの駆動と、メダル検出器から得られるカウント信号とを時系列に表したグラフである。
【図１１】ロータリディスクとは別の回転体にカム溝を設けた別の実施形態を示す説明図である。
【図１２】カム溝の代わりに、リンク機構を設けた他の実施形態を示す説明図である。
【符号の説明】
【００５０】
２４  ホッパー出口
３３  ロータリディスク
３５  受入部
３６  出口
３７  投出口
３８  投出通路
４０  シャッタ部材
５５  従動ピン
５６  カム溝
【図１】
2006195528.tif 000003
【図２】
2006195528.tif 000004
【図３】
2006195528.tif 000005
【図４】
2006195528.tif 000006
【図５】
2006195528.tif 000007
【図６】
2006195528.tif 000008
【図７】
2006195528.tif 000009
【図８】
2006195528.tif 000010
【図９】
2006195528.tif 000011
【図１０】
2006195528.tif 000012
【図１１】
2006195528.tif 000013
【図１２】
2006195528.tif 000014